(57)【要約】【課題】簡素な構造のガイド機構にて、ガイドレールに摺動するシューの摩耗状態を確認する。【解決手段】一対のシュー側壁部２８とシュー底壁部２９から構成され、ガイドレール３に摺動するシュー２５において、レール側面１４ａに摺動する側壁内面３０とレール頂面１４ｂに摺動する底壁内面３１にシューの交換を必要とする摩耗限界位置となる深さまで側壁溝部３３，底壁溝部３４をそれぞれ形成する。そして、それぞれの溝部３３，３４の深さが減少したのを視認することによってシュー側壁部２８およびシュー底壁部２９の摩耗状態がわかる。【選択図】図４
2006103896.tif 000002
【特許請求の範囲】
【請求項１】
昇降路内を昇降する乗りかごの外枠に設けられると共に、前記昇降路内に上下方向に沿って固定されたガイドレールに摺動するシューを備え、前記乗りかごを前記ガイドレールに沿って昇降案内するエレベータ装置のガイド機構において、
前記シューの前記ガイドレールと摺動する摺動内面の上端部または下端部の少なくとも一方側に、摩耗チェック用の溝部を形成したことを特徴とするエレベータ装置のガイド機構。
【請求項２】
前記溝部の溝深さを、シューの交換を必要とする摩耗限界位置まで設定するか、もしくは前記摩耗限界位置よりも浅く設定したことを特徴とする請求項１に記載のエレベータ装置のガイド機構。
【請求項３】
前記シューは、底壁部材と該底壁部材から立設した一対の両側部材からなり、前記底壁部材および／又は前記両側部材の前記ガイドレールと摺動する摺動内面の上端部または下端部の少なくとも一方側に、前記溝部が形成されていることを特徴とする請求項１または２に記載のエレベータ装置のガイド機構。
【請求項４】
前記溝部は、前記乗りかごが昇降する方向に沿って前記上端部から前記下端部まで直線状に形成されていることを特徴とする請求項１〜３のいずれかに記載のエレベータ装置のガイド機構。
【発明の詳細な説明】
【技術分野】
【０００１】
本発明は、昇降路内に設けられた乗りかごをガイドレールに沿って案内するエレベータ装置のガイド機構に関するものであって、前記ガイドレールと摺動するシューの摩耗状態を目視で確認できるようにしたエレベータ装置のガイド機構に関するものである。
【背景技術】
【０００２】
エレベータ装置のガイド機構において、シューがガイドレールとの摩擦により一定量以上摩耗した場合、その機能を維持するために交換する必要がある。シューの交換においては、その摩耗量を測定しなければならず煩雑な作業であった。
【０００３】
この問題を解決するため、例えば以下の特許文献１，２に記載のガイド機構が提案されている。
【０００４】
特許文献１では、ガイドレールと摺動するシューの内部に導電体を埋設し、シューと共に導電体が摩耗することによって、導電体の電気的な特性からシューの摩耗状態を確認できるようになっている。
【０００５】
また、特許文献２では、シューに該シューよりも摩擦係数が高い材料をシューの摺動面よりも低くなる位置に埋設している。そして、シューが摩耗してシューの摺動面から前記摩擦係数が高い材料が露出した際に、ガイドレールと前記摩擦係数が高い材料が摺動し、これによって発生する比較的大きな摺動音によってシューの摩耗状態を確認できるようになっている。
【特許文献１】特開２００１−１９９６５３４号公報
【特許文献２】特開２００４−１２３３２７号公報
【発明の開示】
【発明が解決しようとする課題】
【０００６】
しかしながら、特許文献１，２に記載のガイド機構は、ガイドレールに摺動するシューに導電体や異なる部材を埋設しなければならずコストアップを招くと共に、ガイド機構の構造が複雑となり好ましくない。
【０００７】
本発明はこのような課題に着目してなされたものであり、コストアップすることなく且つ簡素な構造にてシューの摩耗状態を容易に確認できるようにしたエレベータ装置のガイド機構を提供しようとするものである。
【課題を解決するための手段】
【０００８】
請求項１に記載の発明は、昇降路内を昇降する乗りかごの外枠に設けられると共に、前記昇降路内に上下方向に沿って固定されたガイドレールに摺動するシューを備え、前記乗りかごを前記ガイドレールに沿って昇降案内するエレベータ装置のガイド機構において、前記シューの前記ガイドレールと摺動する摺動内面の上端部または下端部の少なくとも一方側に、摩耗チェック用の溝部を形成したことを特徴としている。
【０００９】
この発明によれば、シューの上端部または下端部のすくなくとも一方側に摩耗チェック用の溝部が形成されているため、エレベータ装置の長期使用後においてガイド機構の例えば上方もしくは下方からシューの表面と溝部の底面との段差の減少量を視認し、その減少量によって隙間測定ゲージなどを用いることなく、シューの減耗状態を目視にて確認することができる。
【００１０】
そして、請求項２に記載の発明のように、前記溝部の溝深さを、シューの交換を必要とする摩耗限界位置まで設定するか、もしくは前記摩耗限界位置よりも浅く設定していれば、例えばシューの表面が摩耗し前記溝部の底面とシューの表面の段差が無くなった場合には、シューの交換時期であることが容易にわかる。
【００１１】
請求項３に記載の発明は、前記シューが、底壁部材と該底壁部材から立設した一対の両側部材からなり、前記底壁部材および／又は前記両側部材の前記ガイドレールと摺動する摺動内面の上端部または下端部の少なくとも一方側に、前記溝部が形成されていることを特徴としている。
【００１２】
この発明によれば、底壁部材と一対の両側部材にそれぞれ溝部が形成されているため、各部材毎の摩耗状態を確認できる。
【００１３】
また、請求項４に記載の発明のように、前記溝部が、前記乗りかごが昇降する方向に沿って前記上端部から前記下端部まで直線状に形成されていることによってシューの表面と溝部の底面との段差を確認し易くなる。
【発明の効果】
【００１４】
請求項１〜４に記載の発明によれば、コストアップすることなく且つ簡素な構造にてシューの摩耗状態を容易に確認することができる。また、シューの摩耗状態を確認することによってシューの交換時期を容易に知ることができる。
【発明を実施するための最良の形態】
【００１５】
図１〜４は本発明に係るエレベータ装置のガイド機構の実施の形態を示したものである。図１はガイド機構を含むエレベータ装置全体の透視図的な斜視図を、図２は図１におけるＡ部の拡大図を、図３は図２の分解図を、図４は図２のＢ−Ｂ線に沿う断面図を簡略化したものをそれぞれ示している。
【００１６】
エレベータ装置１は、図１に示すように、昇降路２内に上下方向に沿って固定された一対のガイドレール３，３と、該ガイドレール３，３に沿って前記昇降路２内を昇降する乗りかご４と、該乗りかご４を前記ガイドレール３，３に沿って昇降させるメインロープ５とから大略構成されている。
【００１７】
前記メインロープ５の一端側には乗りかご４が固定されている一方、他端側には、昇降路２の最上部に設けられた巻上機７を介して図外のつり合いおもりが固定されており、巻上機７が回転駆動されることによって前記乗りかご４が昇降するようになっている。なお、図中の８はかごの戸である。
【００１８】
そして、前記乗りかご４の上端部および下端部には、それぞれ一対の上部ガイド機構１０，１０および下部ガイド機構１１，１１（一部図外）が設けられており、該上部ガイド機構１０，１０および下部ガイド機構１１，１１がそれぞれ前記ガイドレール３，３に案内されつつ、乗りかご４を昇降路２内で昇降案内するようになっている。
【００１９】
前記ガイドレール３は、図２に示すように、昇降路２内に固定された固定部１３と該固定部１３の幅方向中央から乗りかご４側に向かって垂直状に突設されたレール部１４からなり、横断面ほぼＴ字状に形成されている。
【００２０】
前記上部ガイド機構１０，１０および下部ガイド機構１１，１１はいわゆるスライディングガイドシューであって、乗りかご４が昇降する際には、図外の給油機から前記レール部１４に対して潤滑油が連続的に塗布され、上部ガイド機構１０，１０および下部ガイド機構１１，１１がガイドレール３に沿ってスムーズに昇降できる構造になっている。
【００２１】
前記上部ガイド機構１０は、図２，３に示すように、図外のボルト・ナットにて乗りかご４に固定されているブラケット１６と、該ブラケット１６に円筒状の軸心１７をもって係合しているガイド体１８を備えている。前記軸心１７には、ロックナット２０，パイプ２１およびコイルばね２２が貫装されており、ロックナット２０とパイプ２１を回転させ、コイルばね２２の撓み量を変えることによってガイドレール３に対するガイド体１８の位置を調節できるようになっている。
【００２２】
前記ガイド体１８の前端部となる位置には断面ほぼコ字状のガイド枠２４が設けられており、このガイド枠２４の内側には、ガイドレール３のレール部１４と摺動する例えば樹脂製の断面ほぼコ字状のシュー２５と、平板状で例えばソリッドゴム製の一対のラバーブロック２６，２６が設けられている。
【００２３】
前記シュー２５は、両側部材である平板状の一対のシュー側壁部２８，２８と、このシュー側壁部２８，２８を支持している底壁部材である平板状のシュー底壁部２９から構成されており、前記ラバーブロック２６，２６が、シュー側壁部２８，２８とガイド枠２４に挟着されている。
【００２４】
ここで、前記シュー側壁部２８，２８およびシュー底壁部２９の摺動内面であるガイドレール３側の側壁内面３０，３０および底壁内面３１には、図２，３のほか図４に示すように、ほぼ幅方向中央となる位置に乗りかご４が昇降する方向に沿って上端部から下端部にかけてそれぞれ所定溝巾で断面ほぼ矩形状となる摩擦チェック用の側壁溝部３３，３３および底壁溝部３４が直線状に形成されている。
【００２５】
前記側壁溝部３３，３３および底壁溝部３４は、側壁内面３０，３０および底壁内面３１から例えば０．５ｍｍの深さとなる位置までそれぞれ形成されており、側壁溝部３３，３３の溝部底面３３ａ，３３ａおよび底壁溝部３４の溝部底面３４ａとなる位置がシュー側壁部２８，２８およびシュー底壁部２９の交換を必要とするいわゆる摩耗限界位置となっている。
【００２６】
つまり、摩耗によってシュー側壁部２８，２８またはシュー底壁部２９の厚さがそれぞれ溝部底面３３ａ，３３ａまたは溝部底面３４ａとなる位置まで一部分又は全体的に薄くなった際には、シュー底壁部２８，２８およびシュー底壁部２９の交換時期であることを示している。
【００２７】
以下、本実施形態の作用について説明する。
【００２８】
まず、乗りかご４の停止状態では、図４に示すように、前記レール部１４にはシュー側壁部２８，２８およびシュー底壁部２９は当接しないように設定されているが、乗りかご４が昇降するに伴い、乗りかご４は前後方向および左右方向に揺動し、レール部１４が断続的にシュー側壁部２８，２８およびシュー底壁部２９と当接し摺動することになる。
【００２９】
例えば、乗りかご４が前後方向（図４の矢印Ｃ方向）に揺動した場合には、側壁内面３０，３０がレール部１４のレール側面１４ａ，１４ａに摺動し、ラバーブロック２６，２６がレール部１４からの衝撃を和らげるいわゆる緩衝材となる。また、乗りかご４が左右方向（図４の矢印Ｄ方向）に揺動した場合には、底壁内面３１がレール頂面１４ｂに摺動し、図２，３に示すコイルばね２２（図４では省略）がレール部１４からの衝撃を和らげる緩衝材となる。なお、もう一方の上部ガイド機構１０および下部ガイド機構１１，１１も同様な構造となっている。
【００３０】
ここで、乗りかご４が前後方向（矢印Ｃ方向）に揺動し、側壁内面３０，３０がレール側面１４ａ，１４ａに断続的に摺動している場合には、シュー側壁部２８，２８が漸次摩耗していくことになる。
【００３１】
その結果、シュー２５の長期使用後には、上部ガイド機構１０の上方もしくは下方から側壁内面３０，３０と溝部底面３３ａ，３３ａとの段差の減少量を視認することによって、シュー側壁部２８，２８の摩耗状態を確認することができる。
【００３２】
つまり、側壁内面３０，３０と溝部底面３３ａ，３３ａとの段差が小さくなることによってシュー側壁部２８，２８の交換時期が近づいているのが分かり、また、側壁内面３０，３０と溝部底面３３ａ，３３ａの段差が無くなることによってシュー側壁部２８，２８が交換時期になっているのが分かる。
【００３３】
一方、乗りかご４が左右方向（矢印Ｄ方向）に揺動した場合には、底壁内面３１がレール頂面１４ｂに断続的に摺動し、シュー底壁部２９が漸次摩耗することになる。
【００３４】
その結果、シュー側壁部２８，２８と同様に、シュー２５の長期使用後には底壁内面３１と溝部底面３４ａとの段差の減少量を視認することによってシュー底壁部２９の摩耗状態を確認することができる。なお、側壁溝部３３，３３および底壁溝部３４は、それぞれ上端部から下端部にかけてそれぞれ直線状に形成されているため、この段差が残っているうちはシュー２５の裏側の空間が見え、段差を視認し易くなっている。
【００３５】
このように、シュー側壁部２８，２８のガイドレール３側となる側壁内面３０，３０とシュー底壁部２９のガイドレール３側となる底壁内面３１において、上端部から下端部にかけて摩耗チェック用の側壁溝部３３，３３および底壁溝部３４をそれぞれ形成することによって、コストアップすることなく且つ簡素な構造のエレベータ装置１にてシュー２５の摩耗状態を確認し、シュー２５の交換時期を容易に知ることができる。
【００３６】
なお、ガイドシュー２５のガイドレール３側となる側壁内面３０，３０および底壁内面３１の上端部または下端部の少なくとも一方に溝部が形成されていれば、シュー側壁部２８，２８およびシュー底壁部２９の摩耗状態を目視にて確認することはできる。また、側壁溝部３３，３３および底壁溝部３４が形成される位置は側壁内面３３，３３および底壁内面３４の幅方向中央に限るものではない。
【００３７】
加えて、シュー２５はシュー側壁部２８，２８およびシュー底壁部２９から構成されており、それぞれに側壁溝部３３，３３および底壁溝部３４が形成されているため、摩耗の著しい部材すなわち摩耗限界位置まで摩耗した部材のみを交換することもできる。
【図面の簡単な説明】
【００３８】
【図１】本発明に係る実施の形態として、ガイド機構を備えたエレベータ装置の乗りかごの全体構成を示す透視斜視図である。
【図２】図１におけるＡ部の拡大図である。
【図３】図２の分解図である。
【図４】図２のＢ−Ｂ線に沿う簡略化した断面図である。
【符号の説明】
【００３９】
１…エレベータ装置
２…昇降路
３…ガイドレール
４…乗りかご
１０…上部ガイド機構
１１…下部ガイド機構
２５…シュー
２８…シュー側壁部（両側部材）
２９…シュー底壁部（底壁部材）
３０…側壁内面（摺動内面）
３１…底壁内面（摺動内面）
３３…側壁溝部
３４…底壁溝部
【図１】
2006103896.tif 000003
【図２】
2006103896.tif 000004
【図３】
2006103896.tif 000005
【図４】
2006103896.tif 000006